(57)【要約】【課題】  恒久的に設置するフェンスであって、堅固なガード機能を有し、フェンスの内外での防風、防砂、防雪機能も有し、環境上も好ましい新規のフェンスを提供せんとする。【解決手段】  上下に異なる二種の面状体を共通の支柱１、１間に渡設したものであって、上部はメッシュ状透孔を連設した有孔部材とし、下部は有孔折板３とし、いずれの面状体も透視可能であることを特徴とする。【選択図】  図１
2006045984.tif 000002
【特許請求の範囲】
【請求項１】
上下に異なる二種の面状体を共通の支柱間に渡設したものであって、上部はメッシュ状透孔を連設した有孔部材とし、下部は有孔折板とし、いずれの面状体も透視可能であることを特徴とするフェンス。
【請求項２】
支柱間の上下方向の全面にメッシュ状透孔を連設した有孔部材を渡設し、かつ下部にのみ有孔折板を前記の支柱に渡設したことを特徴とするフェンス。
【請求項３】
有孔部材が金網、溶接金網、エキスパンドメタル又はパンチメタルである請求項１又は２記載のフェンス。
【請求項４】
有孔折板の支柱への取り付けをスリーブを介し、支柱とに間隔を設けて止着した請求項２記載のフェンス。
【発明の詳細な説明】
【技術分野】
【０００１】
本発明は、特定の地域との境界に設置し、特定地域内への強行侵入を防止すると共に、防風、防砂の機能も兼ね、更に透視性を確保し、環境にも適したフェンスに関するものである。
【背景技術】
【０００２】
従来のフェンスにおいては、その設置場所や目的に応じて、支柱間に渡設して張設する面状体を適宜選択して構成している。
【０００３】
又、異種の面状体を張設するものとして、例えば実開平０５ー８９７０７は、建築現場を囲む仮設の工事用フェンスであって、硬質の板材によって形成されたスカート部が下方に形成され、メッシュ状小孔が穿設された可撓性シート材によって形成された通気部が上方に形成されたもの、或いは特開平１１ー１０７５３７では、枠体の高さ方向略中段に補強材を設けて、枠体を上段と下段に分け、これら上段、下段に有孔部材又は遮蔽板を着脱自在に取り付けた建築・工事現場等のガードフェンスがある。
【特許文献１】実開平０５ー８９７０７
【特許文献２】特開平１１ー１０７５３７
【発明の開示】
【発明が解決しようとする課題】
【０００４】
前記実開平０５ー８９７０７は遮蔽性を確保すると共に、フェンスの転倒を防止することを目的とし、特開平１１ー１０７５３７は遮蔽板と有孔板を目的に応じて簡単容易に取り替えられることを目的とするものであり、建築・工事現場の仮設フェンスに関するものである。
【０００５】
そこで、本発明は恒久的に設置するフェンスであって、堅固なガード機能を有し、フェンスの内外での防風、防砂、防雪機能も有し、環境上も好ましい新規のフェンスを提供せんとするものである。
【課題を解決するための手段】
【０００６】
本発明のフェンスは、上下に異なる二種の面状体を共通の支柱間に渡設したものであって、上部はメッシュ状透孔を連設した有孔部材とし、下部は有孔折板とし、いずれの面状体も透視可能であることを特徴とするものである。
【０００７】
又、請求項２の発明は、支柱間の上下方向の全面にメッシュ状透孔を連設した有孔部材を渡設し、かつ下部にのみ有孔折板を前記の支柱に渡設したものであり、請求項４の発明は有孔折板の支柱への取り付けをスリーブを介し、支柱との間隔を設けて止着してもよい。
【０００８】
そして、請求項３の発明では、有孔部材に菱形金網、溶接金網、エキスパンドメタル又はパンチメタル等が含まれる。
【発明の効果】
【０００９】
本発明は二種の面状体を共通の支柱間に渡設したため、全体として透視性を確保され、内外いずれの方向からでも視界が得られて、侵入者の発見も容易で、かつ開放的で環境面でも良好なフェンスと成るものである。
【００１０】
特にフェンスの下部の有孔折板は、有孔で軽量化を図ってあるけれど、折板であるため強度があって破損の虞れはなく、車輌等の衝突による衝撃にも耐え得ると共に、人為的な破壊行為を未然に防ぐ効果も期待できる。
又、折曲面と有孔部によって防風・防砂及び防雪の効果を発揮するものであり、前記の通り軽量化が図られると共に、有孔部材と共に用いているため、通常用いる支柱を使用できるものとなる。
【００１１】
このように、本発明では防風・防砂・防雪等の特殊な目的のためにのみ利用されていた有孔折板を、その強度と透視性に着目して、一般のフェンスに用いると共に、従来のメッシュ状透孔を連設した有孔部材を上・下位置に配設したことにより、格別の効果を得られるものである。
【００１２】
請求項２の発明は、全面に従来の有孔部材を渡設した下部部分に有孔折板を重合して渡設したものであり、既設のフェンスにも簡単に同一の効果を得られるものとなる。
そして、請求項４の発明は有孔折板の取り付けをスリーブを介し、支柱とに間隔を設けることにより、金網等の有孔部材と干渉することなく、確実に支柱へ止着できるものとなる。
【発明を実施するための最良の形態】
【００１３】
図１は、メッシュ状透孔を連設した有孔部材に菱形金網２を用いた一実施の形態を示す正面図であり、支柱１、１間に二種の面状体である菱形金網２と有孔折板３を上下方向に二つに分けて渡設したものである。
上部に渡設する菱形金網２は、支柱１、１の上部と中央部に横設した胴縁４、４に連結金具５、５…によって張設して渡設するものであり、下部に渡設する有孔折板３は両端部の取付孔を利用してボルト・ナット６で支柱１、１に止着して渡設したものであって、各面状体は公知の取付手段によって渡設したものである。
尚、図中１１は中間部で上下の有孔折板を連結する巾止金具、１２は有刺鉄線である。
【００１４】
菱形金網２は金属線を編んで菱形の透孔を形成した、極めて透視性の高い面状体である。一方、有孔折板３は上下方向の中央に向けて斜面を形成して、中央部が前面への突出面と成って折曲し、上下端部の取付孔を有する垂直面、斜面及び中央の垂直突出面の各面に、多数の任意形状の透孔が形成され、透視性を有すると共に板体であることと、折曲してあることにより強度が高く、軽量化も図られる。
【００１５】
図２は、菱形金網２の代わりに溶接金網７を用いたものであり、金網本体と一体に形成された上・下胴縁８、８と支柱１、１を連結する連結金具９、９で止着したもので、公知手段を利用して渡設したものである。
【００１６】
図３は、菱形金網２が支柱１、１間の上下にわたって全面に渡設されると共に、略下半分の下部に重ねて有孔折板３を渡設した側面図である。
菱形金網２に重ねて有孔折板３を張設する恰好となるため、支柱に対する止着力や菱形金網２の波打ちによる影響を回避するため、支柱１とにスリーブ１０を介在させて有孔折板３をボルト・ナット６で止着し、安定した固定力を確保している。
【００１７】
図４は、溶接金網７が支柱１、１間の上下にわたって全面に渡設されると共に、略下半分の下部に重ねて有孔折板３を渡設した側面図である。
溶接金網７は対向する支柱１、１の前後面の中央で連結金具９、９によって張設されるため、有孔折板３を支柱１、１の外側面にボルト・ナットで止着するのに影響を受けないものとなる。
【００１８】
図面では、メッシュ状透孔を連設した有孔部材を菱形金網と溶接金網で例示したけれど、代わりに、他の金網、エキスパンドメタルやパンチメタルを用いても同様の作用・効果を得られるものである。
【図面の簡単な説明】
【００１９】
【図１】本発明の一実施の形態を示す正面図である。
【図２】本発明の他の実施の形態を示す正面図である。
【図３】本発明の他の実施の形態を示す側面図である。
【図４】本発明の他の実施の形態を示す側面図である。
【符号の説明】
【００２０】
１  支柱
２  菱形金網
３  有孔折板
４、８  胴縁
５、９  連結金具
６  ボルト・ナット
７  溶接金網
１０  スリーブ
【図１】
2006045984.tif 000003
【図２】
2006045984.tif 000004
【図３】
2006045984.tif 000005
【図４】
2006045984.tif 000006